(57)【要約】【課題】本発明は、これまで一般におこなわれていた、丸めたりたたんだりする収納は煩わしく、着用時の選択も困難であったタイツまたは厚手パンティーストッキングの収納を簡単かつ合理的に吊り下げる収納を可能とする収納具を提供しようとするものである。【解決手段】板状のプラスティック１にスリット２を入れ、スリット２に、縦に二つ折にしたタイツまたは厚手パンティーストッキング５のウエストゴムの下部を差し入れ、ゴムの部分を引っ掛けて、レッグ部分が広がって吊り下げられている状態で収納できるタイツまたは厚手パンティーストッキング専用の収納具を考案した。【選択図】図２
2017064341.tif 000002
【特許請求の範囲】
【請求項１】
しっかりしたプラスティックのプレートに細いスリット複数いれる。一本、一本のスリットの幅（細さ）は縦に二つにたたんだタイツや厚手パンティーストッキングのウエストゴムの下部が差し入れることができて、厚みのあるゴムの部分が引っかかって下にずり落ちないくらいのものとする。スリットの長さはタイツや厚手パンティーストッキングのウエストゴム部を縦に二つ折にした程の長さとする。複数のスリットに、複数のタイツや厚手パンティーストッキングをレッグ部が伸びた状態での吊り下げ、既製の洋服ハンガーなどと組み合わせてクローゼットのバーなどに掛ける収納が可能となるものである。
【請求項２】
スリットを入れたプレートの横につけたリングを壁などのフックに引っ掛けて、縦に収納することも可能とした。
【発明の詳細な説明】
【技術分野】
【０００１】本発明はタイツや厚手パンティーストッキングを容易かつ合理的に吊り下げて収納するための収納具に関するものである
【背景技術】
【０００２】従来は、タイツや厚手パンティーストッキングは箪笥の引き出しなどに、小さくたたんだり、丸めたりして収納していたが、本数が多くなると薄手のパンティーストッキングと違い収納にスペースを取り、収納が困難である。
また、タイツや厚手パンティーストッキングは、様々な色や柄があり多くの中からその日のコーディネートに合わせて着用するものを選ぶのも困難で時間を要していた
これまでは、他の靴下に比べデリケートで傷みやすいタイツや厚手パンティーストッキングを吊り下げて収納するための収納具はなかった。
【先行技術文献】
【０００３】
【特許文献１】特開平１１−０３２８９２号広報
【特許文献２】特開２０１５−７３８７８号広報
【発明の概要】
【発明が解決しようとする課題】
【０００４】（１）タイツや厚手パンティーストッキングを箪笥の引き出しなどに収納するために、小さくたたんだり丸めたりすることは時間を要するうえ、所有する本数が増えると、厚手なので引き出しの中での収納スペースも広く必要となりかさばることが多い。
（２）小さく丸めたりたたんだりして収納すると、タイツや厚手パンティーストッキングは様々な色、柄、厚さなどのバリエーションが豊富なので、所有する数が多くなると、たくさんの中から、その日のコーディネートに合わせて着用する一足を選択する時に、いちいち広げたり、たたんだりして選択するのは手間をとりたいへんであった。
（３）従来の靴下ハンガー（特開平１１−０３２８９２号広報  特開２０１５−７３８７８号広報）では、フックを用いて靴下を吊り下げて収納するものであるが、タイツや厚手パンティーストッキングは木綿などが主な素材である一般の靴下と違い、デリケートな素材で作られているものが多いので、挟むフックの部分のバネが強く引っ掛けづらかったり、金属属で出来ていると錆などを生じやすく、生地が引っかかり損傷しやすい。
【課題を解決するための手段】
【０００５】タイツや厚手パンティーストッキングを丸めたり、たたんだりしての収納ではなく、しっかりしたプラスティックのプレートに細いスリットを複数入れる。そのスリットに二つ折にしたタイツや厚手パンティーストッキングの厚みのあるウエストゴムの部分がスリットに引っ掛かるように、スリットにウエストゴムの下部を差し入る。タイツや厚手パンティーストッキングを吊り下げたプレート本体を一般的な既製の洋服ハンガーと組み合わせてクローゼットのバーなどにレッグ部が広がった状態で吊り下げて収納する。このような収納具を考案することにより、前述の課題を解決しようとするものである。
また、プレートの片側のリングを壁やクローゼットのフックなどに引っ掛けて、縦に吊り下げて使用することにより狭いスペースでの収納も可能となる。
【発明の効果】
【０００６】  タイツや厚手パンティーストッキングは、様々な色や柄があるので、所有数が多くなる場合が多々ある。また厚手なので、箪笥の引き出しなどに丸めて収納すると、スペースを多く必要であり、引き出しの中が煩雑になり、きれいに収納するのが困難であった。そこで、本発明によりクローゼットなどに簡単に幾本ものタイツや厚手パンティーストッキングを吊り下げての収納ができるようになる。
金属などのフックに引っかけるのではなく、プラスティックのプレートに入れた細いスリットに縦に二つ折にしたタイツや厚手パンティーストッキングのウエストゴムの下部を差し入れウエストゴム部を引っ掛けて吊り下げるだけなので、収納がたいへん容易であり、素材を傷つけることのない収納が可能である
タイツや厚手パンティーストッキング縦に二つ折にして、レッグの部分を伸ばした状態で吊り下げて収納できるため、スッキリと複数のタイツを収納でき、着用時にもタイツや厚手パンティーストッキングの柄や状態をしっかり確認することができて、容易な選択が可能となる。
既製の洋服ハンガーと組み合わせてクローゼットのバーに他の衣類と並べてかける収納も可能であるし、フックなどに片側のリングを引っ掛けて縦にぶら下げての収納も可能であり、収納スペースの状況などよる吊り下げ方の選択が可能である。
【図面の簡単な説明】
【０００７】
【図１】本発明の正面図である。
【図２】本発明の使用方法を示す図である。
【図３】本発明を既製のハンガーとくみあわせた図である。
【図４】本発明を既製のハンガーと組み合わせて使用した様子を示す図である。
【図５】本発明を壁のフックなどに吊り下げ、縦に使用した様子を示す図である。
【発明を実施するための形態】
【０００８】以下、本発明の実施の形態について図面を参照しつつ説明する
（イ）タイツ  オーガナイザーの本体１のスリット２に、縦に二つ折にしたタイツや厚手      パンティーストッキング５の、ウエストゴムの下部を差し入れ吊り下げる。（図２      ）
（ロ）既製の洋服ハンガー６に、オーガナイザー本体１を三箇所につけたリング（３ａ，      ３ｂ，４）で安定するように装着する（図３）。ハンガー６のフック部をクローゼ      ットのバーなどに掛けてスリット２に差し入れられているタイツや厚手パンティー      ストッキング５を収納する（図４）
（ハ）横につけたリング（３ａもしくは３ｂ）を壁などのフック７に引っ掛けて、縦に収      納することも可能である。（図５）
【符号の説明】
【０００９】１    オーガナイザーのプラスティックプレート本体
２    スリット
３ａ  左吊り下げ用リング
３ｂ  右吊り下げ用リング
４    既製洋服ハンガーと組み合わせ時使用の吊り下げ用リング
５    タイツまたは厚手パンティーストッキング
６    既製の洋服ハンガー
７    壁などに取り付けたフック
【図１】
2017064341.tif 000003
【図２】
2017064341.tif 000004
【図３】
2017064341.tif 000005
【図４】
2017064341.tif 000006
【図５】
2017064341.tif 000007